(57)【要約】      （修正有）【課題】頸部に障害がある使用者であっても頭部を安定に保持することができ、また洗髪・整容にも好適な車椅子用頭部支持装置を提供する。【解決手段】車椅子用頭部支持装置は、車椅子の背もたれの上部に、頭部支持部１０と頸部支持部２０とを上下２段に形成したものである。頭部支持部は外側端を左右の支柱１に支持され、かつ相互間に面ファスナーを備えた一対の頭部支持ベルト１１からなり、頸部支持部は外側端を左右の支柱に支持された左右一対の屈曲バー２１からなる。使用者の頭部と頸部とを個別に支持することができる。また洗髪・整容の場合には頸部を支持したままで頭部支持部のみを開放することができる。【選択図】図１
2010268868.tif 000002
【特許請求の範囲】
【請求項１】
車椅子の背もたれの上部に装着される頭部支持装置であって、頭部支持部と頸部支持部とを上下２段に形成したことを特徴とする車椅子用頭部支持装置。
【請求項２】
頭部支持部と頸部支持部とが、車椅子の背もたれの上部に装着される左右の支柱間に、上下方向の位置調節可能に取り付けられたものであることを特徴とする請求項１記載の車椅子用頭部支持装置。
【請求項３】
頭部支持部が、外側端を左右の支柱に支持され、かつ相互間に面ファスナーを備えた一対の頭部支持ベルトからなることを特徴とする請求項２記載の車椅子用頭部支持装置。
【請求項４】
頸部支持部が、外側端を左右の支柱に支持された左右一対の屈曲バーからなることを特徴とする請求項２記載の車椅子用頭部支持装置。
【発明の詳細な説明】
【技術分野】
【０００１】
本発明は、車椅子使用者の頭部を支持する車椅子用頭部支持装置に関するものである。
【背景技術】
【０００２】
車椅子用頭部支持装置としては、座席の背もたれの上部にヘッドサポートを一体に、あるいは着脱可能に設けたものが従来から知られている。しかしヘッドサポートは使用者の後頭部のみを支持するものであるから頭部が左右に振れ易く、頸部に障害がある使用者にとっては頭部の安定性に欠けるという問題があった。
【０００３】
また特許文献１には、折畳み式車椅子の手押しハンドルに装着して使用する折畳み可能な頭部支持装置が記載されている。しかしこの頭部支持装置も単一のヘッドサポートにより使用者の後頭部のみを支持するものであるから、上記と同様の問題があった。
【０００４】
また使用者を車椅子に乗せたままで後方にリクライニングさせて洗髪・整容を行いたい場合には、ヘッドサポートが邪魔になる。そこでヘッドサポートを取り外すと頸部の支えがないために頸部が後に折れ曲がってしまい、使用者に苦痛を感じさせるという問題もあった。
【先行技術文献】
【特許文献】
【０００５】
【特許文献１】特開２００１−２９３０３６号公報
【発明の概要】
【発明が解決しようとする課題】
【０００６】
従って本発明の目的は上記した従来の問題点を解決し、頸部に障害がある使用者であっても頭部を安定に保持することができ、また洗髪・整容にも好適な車椅子用頭部支持装置を提供することである。
【課題を解決するための手段】
【０００７】
上記の課題を解決するためになされた本発明の車椅子用頭部支持装置は、車椅子の背もたれの上部に装着される頭部支持装置であって、頭部支持部と頸部支持部とを上下２段に形成したことを特徴とするものである。
【０００８】
なお請求項２のように、頭部支持部と頸部支持部とが、車椅子の背もたれの上部に装着される左右の支柱間に、上下方向の位置調節可能に取り付けられたものであることが好ましい。また請求項３のように、頭部支持部が外側端を左右の支柱に支持され、かつ相互間に面ファスナーを備えた一対の頭部支持ベルトからなることが好ましい。さらに請求項４のように、頸部支持部が外側端を左右の支柱に支持された左右一対の屈曲バーからなることが好ましい。
【発明の効果】
【０００９】
本発明の車椅子用頭部支持装置は、車椅子の背もたれの上部に、頭部支持部と頸部支持部とを上下２段に形成したものであるから、使用者の頭部と頸部とを個別に支持することができる。また頭部支持部と頸部支持部とを個別に調整することができるので、使用者の身体特性に合わせた最適ポジションに設定することができる。このため頸部に障害がある使用者であっても頭部を安定に保持することができる。さらに洗髪・整容の場合には頸部を支持したままで頭部支持部のみを開放することができるので、使用者に苦痛を感じさせることがない。
【００１０】
請求項２の発明によれば、頭部支持部と頸部支持部とが、車椅子の背もたれの上部に装着される左右の支柱間に、上下方向の位置調節可能に取り付けられているため、使用者の身体特性に合わせた最適ポジションに設定することが容易である。
【００１１】
請求項３の発明によれば、頭部支持部が外側端を左右の支柱に支持され、かつ相互間に面ファスナーを備えた一対の頭部支持ベルトからなるため、頭部のサイズや体格により頭部支持部を調節し易いうえ、面ファスナーによる接合を解除して一対の頭部支持ベルトを後方に回せば、洗髪・整容も容易に行うことができる。
【００１２】
さらに請求項４の発明によれば、頸部支持部が外側端を左右の支柱に支持された左右一対の屈曲バーからなるため、頸部を安定に保持することができ、また前後方向に回転させることによって、使用者の身体特性に合わせた最適ポジションに設定することが容易である。
【図面の簡単な説明】
【００１３】
【図１】本発明の実施形態を示す斜視図である。
【図２】使用状態の説明図である。
【図３】本発明の車椅子用頭部支持装置を装着した車椅子の全体斜視図である。
【図４】本発明の車椅子用頭部支持装置を装着した車椅子の全体斜視図である。
【発明を実施するための形態】
【００１４】
以下に本発明の好ましい実施形態を示す。
図１において、１は車椅子の背もたれの上部に装着される左右の支柱である。この実施形態では支柱１は下端部を小径の差込み部２とした金属パイプからなり、車椅子の背もたれの上端に差し込んで使用し、また不要な場合には抜き取ることができるようになっている。しかし背もたれの上部に溶接等によって一体化しておくことも可能である。左右の支柱１の上端部及び下部には、Ｕ字状に後方に屈曲させた連結部３をそれぞれ溶接して連結し、全体を一体化してある。
【００１５】
これらの左右の支柱１、１間には、頭部支持部１０と頸部支持部２０とが上下２段に設けられている。この実施形態では、上方の頭部支持部１０は、相互間に面ファスナーを備えた一対の頭部支持ベルト１１からなる。各頭部支持ベルト１１の外側端１２は円筒状に丸められている。また左右の支柱１、１には固定具１３によって支柱１と垂直方向に延びる短いアーム１４が取り付けられており、各アーム１４の先端には支柱１と平行方向に延びる縦棒１５が溶接されている。各頭部支持ベルト１１は円筒状に丸められた外側端１２をこの縦棒１５に通し、アーム１４を介して左右の支柱１、１に支持されている。
【００１６】
固定具１３のねじを緩めることによって、アーム１４及び縦棒１５は高さ調整が可能であり、また回すことによって前後方向の位置調整も可能である。従って頭部支持部１０の全体の高さ及び前後方向の支持位置を変えることができる。
【００１７】
各頭部支持ベルト１１は幅が１０〜１５ｃｍ程度の広幅の合成樹脂頭部支持ベルトである。左右の頭部支持ベルト１１、１１相互間は面ファスナーにより連結されているので、連結距離を変えることによって直線状に連結することも、あるいは大きく後方に湾曲させた上体で連結することもできる。さらに相互間の連結を解除することも可能である。
【００１８】
この実施形態では、頸部支持部２０は図示のような左右一対の屈曲バー２１からなる。各屈曲バー２１は金属パイプを平面方向（支柱１に対して垂直方向）にくの字状に成形したもので、各外側端はハンドル付固定具２２に固定されている。これらのハンドル付固定具２２は自転車の車軸を固定するために用いられているクイックリリースレバーと同様のもので、ハンドル２３を引いたうえでねじ２４を回転させ、再びハンドル２３を押し込むとクランプできる構造のものである。これらのハンドル付固定具２２によって各屈曲バー２１は左右の支柱１、１に上下方向及び前後方向に位置調節できるように取り付けられている。なおハンドル付固定具２２のエッジ部は丸く面取り加工を施すかゴムらでカバーすることにより、安全性を高めておくことが好ましい。
【００１９】
この頸部支持部２０は後方に屈曲させた部分で使用者の頸部を左右両側から支持するものであるが、長時間にわたり使用すると接触部に痛みを感ずるおそれがある。そこで図示のように全体をスポンジ状の弾性チューブ２５によって覆い、痛みをなくすることが好ましい。またこの弾性チューブ２５によって左右が連結されるため、使用者の不安解消にも効果的である。スポンジ状の弾性チューブ２５としては、例えば発泡ネオプレンゴムを使用することができる。
【００２０】
なお、図１に示される３０は必要に応じて左右の支柱１、１間に装着されるカバーシートである。このカバーシート３０は上部の両端部を左右の支柱１、１に嵌め、下方のエプロン状の垂下部を背もたれの後方にたらして使用される。これは背もたれと頸部支持部２０との間の空間が使用者に不安を与えることを防止するための部品であり、機械的な機能上は省略することも可能である。
【００２１】
このように構成された本発明の車椅子用頭部支持装置は、図３に示すように車椅子本体４の背もたれ５の上部に装着して用いられるものである。なお図示の車椅子は座面６を水平に保ったままで、手押しハンドル７とともに背もたれ５を後方にリクライニングすることができる構造である。背もたれ５を立てた状態においては、図２に示すように頭部支持部１０と頸部支持部２０とが個別に使用者の頭部と頸部とを支持することができ、頸部に障害がある使用者であっても頭部を安定させることができ、快適である。
【００２２】
また、図４に示すように頭部支持部１０の頭部支持ベルト１１、１１間の面ファスナーをはがして左右の連結を解き、頭部支持ベルト１１、１１を下方に垂らせば使用者の頭部後方が開放されるため、リクライニングさせた姿勢で洗髪・整容することができる。なお使用者の頸部は頸部支持部２０が支持したままであるから、頭部全体が後方に屈曲して苦痛を与えることもない。もちろん、頸部に障害のない使用者である場合には、洗髪・整容時には頸部支持部２０を取り外すことも可能である。なお本発明の車椅子用頭部支持装置は、リクライニング機能のない通常の車椅子にも用いることができることはいうまでもない。
【００２３】
以上に説明したように、本発明の車椅子用頭部支持装置は、頸部に障害がある使用者であっても頭部を安定に保持することができ、またリクライニング機能を備えた車椅子と組み合わせて用いれば、洗髪・整容にも好適な利点がある。
【符号の説明】
【００２４】
１  支柱
２  差込み部
３  連結部
４  車椅子本体
５  背もたれ
６  座面
７  手押しハンドル
１０  頭部支持部
１１  頭部支持ベルト
１２  外側端
１３  固定具
１４  アーム
１５  縦棒
２０  頸部支持部
２１  屈曲バー
２２  ハンドル付固定具
２３  ハンドル
２４  ねじ
２５  弾性チューブ
３０  カバーシート
【図１】
2010268868.tif 000003
【図２】
2010268868.tif 000004
【図３】
2010268868.tif 000005
【図４】
2010268868.tif 000006